(57)【要約】【課題】状況付与バランスに優れた高品質の付与計画一覧及び付与カードを効率的に作成することができる訓練計画作成支援装置を提供する。【解決手段】ロールプレイング方式の災害訓練演習に用いられる付与計画一覧表及び付与カードの作成を支援する訓練計画作成支援装置１に、災害に関する複数の状況毎に、該状況の件名を示す件名情報、付与内容情報、付与時間情報、付与元情報、及び付与先情報を対応付けて登録してあるデータベース１８と、データベース１８の情報に基づいて、付与先及び付与時間毎に、複数の状況をまとめた付与計画表、複数の状況を時系列順に配列した付与計画一覧表、付与カードを夫々生成する手段と、生成された付与計画表、付与計画一覧表、又は付与カードを表示して、データベース１８の編集を受け付ける入力装置１５と、生成された付与計画一覧表及び付与カードを出力するプリンタ１６とを備える。【選択図】図１
2010009524.tif 000002
【特許請求の範囲】
【請求項１】
災害に関する複数の状況を予め計画された手順で演習指揮者側から演習者側へ付与することによって行う災害訓練演習用の状況付与計画一覧表及び状況付与カードの作成を支援する訓練計画作成支援装置であって、
災害に関する複数の状況毎に、該状況の件名を示す件名情報、前記状況の内容を示す付与内容情報、該内容を付与すべき時間を示す付与時間情報、付与元を示す付与元情報、及び付与先を示す付与先情報を対応付けて登録してあるデータベースと、
該データベースに登録された情報に基づいて、付与先及び付与時間毎に、該付与先に付与すべき状況の件名及び付与元を含む状況付与計画表を生成する状況付与計画表生成手段と、
前記データベースに登録された情報に基づいて、複数の状況夫々の件名、付与時間、付与元及び付与先を時系列順に配列した状況付与計画一覧表を生成する状況付与計画一覧表生成手段と、
前記データベースに登録された情報に基づいて、状況の件名、状況の内容、付与時間、付与元、及び付与先を含む状況付与カードを生成する状況付与カード生成手段と
を備え、
生成された状況付与計画表、状況付与計画一覧表、又は状況付与カードを表示して、前記データベースの編集を受け付ける編集受付手段と、
生成された状況付与計画一覧表及び状況付与カードを出力する出力手段と
を備えることを特徴とする訓練計画作成支援装置。
【請求項２】
前記データベースは、
災害に関する複数の状況毎に、演習者側に求める判断事項を示す判断事項情報を対応付けて登録しており、
前記データベースに登録された情報に基づいて、付与先及び判断事項毎に、該付与先に付与すべき状況の件名及び付与元を含む演習操作計画表を生成する演習操作計画表生成手段を備え、
前記編集受付手段は、
生成された演習操作計画表を表示して、前記データベースの編集を受け付ける手段を備える
ことを特徴とする請求項１に記載の訓練計画作成支援装置。
【請求項３】
前記データベースは、
複数の災害訓練演習用に夫々編集された災害に関する複数の状況毎に、各災害訓練演習を識別するための災害訓練演習情報と、災害の種類を示す災害種別情報、災害で想定される場面を示す災害場面情報、又は災害訓練演習を行う組織を示す組織情報とを対応付けて登録しており、
更に、災害種別情報、災害場面情報、又は組織情報に基づいて、災害訓練演習を検索する手段と、
検索して得た一の災害訓練演習用に編集された状況付与に関する情報を、他の災害訓練演習における状況付与に関する情報として前記データベースに登録する手段と
を備えることを特徴とする請求項１又は請求項２に記載の訓練計画作成支援装置。
【請求項４】
前記データベースは、
複数の災害訓練演習用に夫々編集された災害に関する複数の状況毎に、該状況を付与する目的を示す付与目的情報、又は付与先の組織の職務内容を示す職務内容情報を対応付けて登録しており、
更に、付与目的情報又は職務内容情報に基づいて、一の災害訓練演習で編集された状況付与に関する情報を検索する手段と、
検索して得た各情報を、他の災害訓練演習における状況付与に関する情報として前記データベースに登録する手段と
を備えることを特徴とする請求項１乃至請求項３のいずれか一つに記載の訓練計画作成支援装置。
【請求項５】
災害に関する複数の状況毎に、該状況を付与する際に状況付与カードに添付すべき文書のデータを対応付けて記憶しており、
前記出力手段は、
状況付与カード及び該状況付与カードに添付すべき文書を順に出力するようにしてある
ことを特徴とする請求項１乃至請求項４のいずれか一つに記載の訓練計画作成支援装置。
【請求項６】
請求項１乃至請求項５のいずれか一つに記載の訓練計画作成支援装置と、
該訓練計画作成支援装置に通信線を介して接続された複数の通信装置と
を備え、
前記編集受付手段は、
各通信装置にて前記データベースの編集を受け付けるようにしてある
ことを特徴とする訓練計画作成支援システム。
【請求項７】
災害に関する複数の状況を予め計画された手順で演習指揮者側から演習者側へ付与することによって行う災害訓練演習用の状況付与計画一覧表及び状況付与カードの作成を支援する訓練計画作成支援方法であって、
災害に関する複数の状況毎に、該状況の件名を示す件名情報、前記状況の内容を示す付与内容情報、該内容を付与すべき時間を示す付与時間情報、付与元を示す付与元情報、及び付与先を示す付与先情報を対応付けて登録してあるデータベースを用意し、
該データベースに登録された情報に基づいて、付与先及び付与時間毎に、該付与先に付与すべき状況の件名及び付与元を含む状況付与計画表を生成する状況付与計画表生成ステップと、
前記データベースに登録された情報に基づいて、複数の状況夫々の件名、付与時間、付与元及び付与先を時系列順に配列した状況付与計画一覧表を生成する状況付与計画一覧表生成ステップと、
前記データベースに登録された情報に基づいて、状況の件名、状況の内容、付与時間、付与元、及び付与先を含む状況付与カードを生成する状況付与カード生成ステップと、
生成された状況付与計画表、状況付与計画一覧表、又は状況付与カードを表示して、前記データベースの編集を受け付ける編集受付ステップと、
生成された状況付与計画一覧表及び状況付与カードを出力する出力ステップと
を有することを特徴とする訓練計画作成支援方法。
【請求項８】
災害に関する複数の状況を予め計画された手順で演習指揮者側から演習者側へ付与することによって行う災害訓練演習用の状況付与計画一覧表及び状況付与カードの作成を支援するコンピュータに、
災害に関する複数の状況毎に、該状況の件名を示す件名情報、前記状況の内容を示す付与内容情報、該内容を付与すべき時間を示す付与時間情報、付与元を示す付与元情報、及び付与先を示す付与先情報を対応付けて登録してあるデータベースの情報に基づいて、付与先及び付与時間毎に、該付与先に付与すべき状況の件名及び付与元を含む状況付与計画表を生成する状況付与計画表生成ステップと、
前記データベースに登録された情報に基づいて、複数の状況夫々の件名、付与時間、付与元及び付与先を時系列順に配列した状況付与計画一覧表を生成する状況付与計画一覧表生成ステップと、
前記データベースに登録された情報に基づいて、状況の件名、状況の内容、付与時間、付与元、及び付与先を含む状況付与カードを生成する状況付与カード生成ステップと
を実行させることを特徴とするコンピュータプログラム。
【発明の詳細な説明】
【技術分野】
【０００１】
本発明は、ロールプレイング方式の災害訓練演習に用いられる状況付与計画一覧表及び状況付与カードの作成を支援する訓練計画作成支援装置、訓練計画作成支援システム、訓練計画作成支援方法、及びコンピュータプログラムに関する。
【背景技術】
【０００２】
国、自治体等の公共機関等においては、災害対応訓練の一手法として、ロールプレイング方式の災害訓練演習が採用されている。
【０００３】
図２４は、ロールプレイング方式の災害訓練演習方法を示す模式図である。ロールプレイング方式の災害訓練演習は、指揮部と、演習部とに分かれて行われる。
指揮部は、演習を指揮する複数の指揮者Ａ，Ａ…で構成され、住民、マスコミ、指揮本部等の役割が与えられる。指揮部には、演習部に知らされていない状況付与計画一覧表（以下、付与計画一覧表という）Ｃ、及び数百枚の状況付与カード（以下、付与カードという）Ｄが用意されている。付与計画一覧表Ｃは、災害に関する状況をいつ、どこから、どこへ付与するのかを時系列順で一覧にしたものである。災害に関する状況は、演習者Ｂ，Ｂ…側に災害に関する情報の整理、分析、意志決定、対策の実施を行わせるための情報である。例えば、地震発生、堤防の決壊、住民からの問い合わせ、取材の依頼等が挙げられる。付与カードＤは、状況の件名、該状況の内容、前記状況をいつ、どこから、どこへ、どのように付与するのかといった情報が記載されたカードであり、１枚の付与カードＤには１件の状況が記載されている。指揮者Ａ，Ａ…は、付与計画一覧表Ｃに従って、担当の付与カードＤを手元に用意する。そして、指揮者Ａ，Ａ…は、この付与カードＤに記載された付与時間に、所定の付与内容を所定の付与方法で演習者Ｂ，Ｂ…へ逐次付与することによって、災害訓練演習を指揮進行する。
【０００４】
演習部は、演習を行う複数の演習者Ｂ，Ｂ…、例えば自治体を構成する情報班、対策班、物資班、広報班に属する職員で構成される。演習者Ｂ，Ｂ…は、指揮部から与えられた状況を、実際の災害時と同じように整理、分析、意志決定し、他の組織との連携等、具体的対策を実施する。演習者Ｂ，Ｂ…の行動内容は、対応記録用紙に逐次記録される。
【０００５】
このようにロールプレイング方式の災害訓練演習は、災害現場で対応する職員の訓練ではなく、該職員を指揮する本部組織を訓練するものである。
災害訓練演習を終えた自治体は、対応記録用紙の記録内容から演習結果を分析することによって、防災対策上の問題点の抽出、災害対策マニュアルの見直し、新たな防災対策等を講ずることができ、災害対応能力を向上させることができる。
【０００６】
次に、災害訓練計画（以下、訓練計画という）の立案、つまり付与計画一覧表Ｃ、付与カードＤ等の作成手順を説明する。上述のように、災害訓練演習は、付与計画一覧表Ｃ及び付与カードＤに基づいて進行するため、訓練計画の作成は、演習の成否を左右する重要な作業である。
【０００７】
図２５は、訓練計画の作成手順を概念的に示す説明図である。訓練計画の作成作業は、災害訓練演習のシナリオを設定することから始まる。具体的には、演習対象である付与先の組織編成を特定し、班名、訓練目的、訓練時間、各班の予想行動等を決定する。そして、訓練目的に従って、各付与先に付与すべき状況の概要を示す件名、該状況を付与する付与時間、付与元、付与目的、付与条件等を決定し、各状況を時系列順に配列してなる付与計画一覧表Ｃを作成する。次いで、演習者Ｂ，Ｂ…の取り巻く環境等を考慮して、付与内容を具体的に決定し、付与カードＤを作成する。また、付与カードＤに添付すべきＦＡＸ送信表等の別紙も並行して作成する。最後に、作成された付与計画一覧表Ｃ、付与カードＤ、別紙等を印刷し、仕分けし、ファイリングする。
【特許文献１】特開２００３−２７１０４９号公報
【発明の開示】
【発明が解決しようとする課題】
【０００８】
ところで、従来の訓練計画作成方法においては、互いに関連する付与計画一覧表Ｃ及び付与カードＤを別々に作成していたため、重複入力作業が発生し、訓練計画を効率的に作成できないという問題があった。
また、付与計画一覧表Ｃは、演習時の使用を想定して各種状況を時系列順に配列したものであるが、訓練計画の作成時においては、各演習者Ｂ，Ｂ…への状況付与の全容を把握し難いという問題がある。つまり、状況が時系列順に並んだ付与計画一覧表Ｃでは、各演習者Ｂ，Ｂ…に状況付与がバランス良く行われているか、訓練目的を達成できるような状況が設定されているかを把握することが困難であるという問題がある。訓練計画の作成を想定して、付与先及び付与時間毎に、状況の件名、付与元等をまとめた状況付与計画表を作成することも考えられるが、更なる重複入力作業が発生する。逆に、状況付与計画表を作成せずに訓練計画を作成した場合、重複入力を避けることはできるが、各演習者Ｂ，Ｂ…への状況付与のバランスを欠き、訓練計画の品質低下を招く虞がある。このように、従来の訓練計画作成方法においては、高品質の訓練計画を効率的に作成することができないという問題があった。
更に、付与計画一覧表Ｃ、状況付与計画表及び付与カードＤのいずれかを修正した場合、他の書類も修正する必要があったため、重複入力と共に、修正漏れが発生する虞もあった。
【０００９】
なお、特許文献１には、災害訓練演習をコンピュータ上で行うシステムが開示されているが、上述の問題を解決する方法は開示されていない。
【００１０】
本発明は斯かる事情に鑑みてなされたものであり、状況付与に関する各種情報を対応付けて登録したデータベースを備え、該データベースに登録された情報に基づいて、状況付与計画表、状況付与計画一覧表及び状況付与カードの表示、編集及び出力を行うように構成することによって、重複入力作業を排除し、状況付与バランスに優れた高品質の状況付与計画表及び状況付与カードを効率的に作成することができる訓練計画作成支援装置、訓練計画作成支援システム、訓練計画作成支援方法、及びコンピュータプログラムを提供することを目的とする。
【００１１】
本発明の他の目的は、他の観点として演習者側に求める判断事項及び付与先毎に該付与先に付与すべき状況の件名及び付与元をまとめた演習操作計画表の表示及び編集を行うように構成することにより、状況付与バランスに優れ、しかも演習者の判断事項という観点からも検討された高品質の状況付与計画表及び状況付与カードを効率的に作成することができる訓練計画作成支援装置及び訓練計画作成支援システムを提供することにある。
【００１２】
本発明の他の目的は、過去の災害訓練演習用に編集された状況毎に、災害場面情報、災害種別情報及び組織情報を対応付けてデータベースに登録することにより、過去の災害訓練演習用に編集した状況付与に関する情報を、災害場面、災害種別及び組織区分という観点から検索し、再利用することができ、より効率的に状況付与計画表及び状況付与カードを作成することができる訓練計画作成支援装置及び訓練計画作成支援システムを提供することにある。
【００１３】
本発明の他の目的は、過去の災害訓練演習用に編集された状況毎に、付与目的情報、付与先の組織の職務内容を示す職務内容情報を対応付けてデータベースに登録することにより、過去の災害訓練演習用に編集した状況付与に関する情報を、付与目的、付与先の職務内容という観点から検索し、再利用することができ、より効率的に状況付与計画表及び状況付与カードを作成することができる訓練計画作成支援装置及び訓練計画作成支援システムを提供することにある。
【００１４】
本発明の他の目的は、災害に関する複数の状況毎に、状況付与カードに添付すべき文書のデータを対応付けて記憶するように構成することにより、状況付与カード及び添付文書を関連付けて管理し、出力することができる訓練計画作成支援装置及び訓練計画作成支援システムを提供することにある。
【課題を解決するための手段】
【００１５】
本発明に係る訓練計画作成支援装置は、災害に関する複数の状況を予め計画された手順で演習指揮者側から演習者側へ付与することによって行う災害訓練演習用の状況付与計画一覧表及び状況付与カードの作成を支援する訓練計画作成支援装置であって、災害に関する複数の状況毎に、該状況の件名を示す件名情報、前記状況の内容を示す付与内容情報、該内容を付与すべき時間を示す付与時間情報、付与元を示す付与元情報、及び付与先を示す付与先情報を対応付けて登録してあるデータベースと、該データベースに登録された情報に基づいて、付与先及び付与時間毎に、該付与先に付与すべき状況の件名及び付与元を含む状況付与計画表を生成する状況付与計画表生成手段と、前記データベースに登録された情報に基づいて、複数の状況夫々の件名、付与時間、付与元及び付与先を時系列順に配列した状況付与計画一覧表を生成する状況付与計画一覧表生成手段と、前記データベースに登録された情報に基づいて、状況の件名、状況の内容、付与時間、付与元、及び付与先を含む状況付与カードを生成する状況付与カード生成手段とを備え、生成された状況付与計画表、状況付与計画一覧表、又は状況付与カードを表示して、前記データベースの編集を受け付ける編集受付手段と、生成された状況付与計画一覧表及び状況付与カードを出力する出力手段とを備えることを特徴とする。
【００１６】
本発明に係る訓練計画作成支援装置は、前記データベースは、災害に関する複数の状況毎に、演習者側に求める判断事項を示す判断事項情報を対応付けて登録しており、前記データベースに登録された情報に基づいて、付与先及び判断事項毎に、該付与先に付与すべき状況の件名及び付与元を含む演習操作計画表を生成する演習操作計画表生成手段を備え、前記編集受付手段は、生成された演習操作計画表を表示して、前記データベースの編集を受け付ける手段を備えることを特徴とする。
【００１７】
本発明に係る訓練計画作成支援装置は、前記データベースは、複数の災害訓練演習用に夫々編集された災害に関する複数の状況毎に、各災害訓練演習を識別するための災害訓練演習情報と、災害の種類を示す災害種別情報、災害で想定される場面を示す災害場面情報、又は災害訓練演習を行う組織を示す組織情報とを対応付けて登録しており、更に、災害種別情報、災害場面情報、又は組織情報に基づいて、災害訓練演習を検索する手段と、検索して得た一の災害訓練演習用に編集された状況付与に関する情報を、他の災害訓練演習における状況付与に関する情報として前記データベースに登録する手段とを備えることを特徴とする。
【００１８】
本発明に係る訓練計画作成支援装置は、前記データベースは、複数の災害訓練演習用に夫々編集された災害に関する複数の状況毎に、該状況を付与する目的を示す付与目的情報、又は付与先の組織の職務内容を示す職務内容情報を対応付けて登録しており、更に、付与目的情報又は職務内容情報に基づいて、一の災害訓練演習で編集された状況付与に関する情報を検索する手段と、検索して得た各情報を、他の災害訓練演習における状況付与に関する情報として前記データベースに登録する手段とを備えることを特徴とする。
【００１９】
本発明に係る訓練計画作成支援装置は、災害に関する複数の状況毎に、該状況を付与する際に状況付与カードに添付すべき文書のデータを対応付けて記憶しており、前記出力手段は、状況付与カード及び該状況付与カードに添付すべき文書を順に出力するようにしてあることを特徴とする。
【００２０】
本発明に係る訓練計画作成支援システムは、上述のいずれか一つの訓練計画作成支援装置と、該訓練計画作成支援装置に通信線を介して接続された複数の通信装置とを備え、前記編集受付手段は、各通信装置にて前記データベースの編集を受け付けるようにしてあることを特徴とする。
【００２１】
本発明に係る訓練計画作成支援方法は、災害に関する複数の状況を予め計画された手順で演習指揮者側から演習者側へ付与することによって行う災害訓練演習用の状況付与計画一覧表及び状況付与カードの作成を支援する訓練計画作成支援方法であって、災害に関する複数の状況毎に、該状況の件名を示す件名情報、前記状況の内容を示す付与内容情報、該内容を付与すべき時間を示す付与時間情報、付与元を示す付与元情報、及び付与先を示す付与先情報を対応付けて登録してあるデータベースを用意し、該データベースに登録された情報に基づいて、付与先及び付与時間毎に、該付与先に付与すべき状況の件名及び付与元を含む状況付与計画表を生成する状況付与計画表生成ステップと、前記データベースに登録された情報に基づいて、複数の状況夫々の件名、付与時間、付与元及び付与先を時系列順に配列した状況付与計画一覧表を生成する状況付与計画一覧表生成ステップと、前記データベースに登録された情報に基づいて、状況の件名、状況の内容、付与時間、付与元、及び付与先を含む状況付与カードを生成する状況付与カード生成ステップと、生成された状況付与計画表、状況付与計画一覧表、又は状況付与カードを表示して、前記データベースの編集を受け付ける編集受付ステップと、生成された状況付与計画一覧表及び状況付与カードを出力する出力ステップとを有することを特徴とする。
【００２２】
本発明に係るコンピュータプログラムは、災害に関する複数の状況を予め計画された手順で演習指揮者側から演習者側へ付与することによって行う災害訓練演習用の状況付与計画一覧表及び状況付与カードの作成を支援するコンピュータに、災害に関する複数の状況毎に、該状況の件名を示す件名情報、前記状況の内容を示す付与内容情報、該内容を付与すべき時間を示す付与時間情報、付与元を示す付与元情報、及び付与先を示す付与先情報を対応付けて登録してあるデータベースの情報に基づいて、付与先及び付与時間毎に、該付与先に付与すべき状況の件名及び付与元を含む状況付与計画表を生成する状況付与計画表生成ステップと、前記データベースに登録された情報に基づいて、複数の状況夫々の件名、付与時間、付与元及び付与先を時系列順に配列した状況付与計画一覧表を生成する状況付与計画一覧表生成ステップと、前記データベースに登録された情報に基づいて、状況の件名、状況の内容、付与時間、付与元、及び付与先を含む状況付与カードを生成する状況付与カード生成ステップとを実行させることを特徴とする。
【００２３】
本発明にあっては、訓練計画作成支援装置は、訓練計画を作成する際に発生する重複入力作業を排除するためにデータベースを備えている。訓練計画とは、ロールプレイング方式における災害訓練演習において演習側へ付与すべき状況、該状況の付与手順をいい、訓練計画を具現化したものが状況付与計画一覧表、及び状況付与カードである。データベースには、災害に関する複数の状況毎に、該状況の件名を示す件名情報、前記状況の内容を示す付与内容情報、該内容を付与すべき時間を示す付与時間情報、付与元を示す付与元情報、及び付与先を示す付与先情報が対応付けて登録されている。
そして、状況付与計画表生成手段は、データベースに登録された情報に基づいて、状況付与計画表を生成し、編集受付手段は、状況付与計画表を表示してデータベースの編集を受け付ける。状況付与計画表は、付与先及び付与時間毎に、該付与先に付与すべき状況の件名及び付与元を含む表である。
従って、訓練計画作成支援装置の使用者は、前記状況付与計画表を用いることによって、状況付与バランスを考慮した訓練計画を作成することが可能になる。例えば、使用者は、各付与先に付与すべき状況の数が均等であるか、状況の付与が特定の時間帯に集中し過ぎていないか等を検証しながら、訓練計画を作成することができる。
【００２４】
状況付与計画一覧表生成手段は、データベースに登録された情報に基づいて、状況付与計画一覧表を生成し、編集受付手段は、状況付与計画一覧表を表示してデータベースの編集を受け付ける。状況付与計画一覧表は、複数の状況夫々の件名、付与時間、付与元及び付与先を時系列順に配列した表である。
また、状況付与カード生成手段は、データベースに登録された情報に基づいて、状況の件名、付与内容、付与時間、付与元、及び付与先を含む状況付与カードを生成し、編集受付手段は、状況付与カードを表示し、データベースの編集を受け付ける。そして、出力手段は、編集及び生成された状況付与計画一覧表及び状況付与カードを出力する。なお、表示及び編集の受け付けは、通信線を介して接続された通信装置を介して行っても良い。
このように、状況付与計画表、状況付与計画一覧表及び状況付与カードは、データベースに登録された共通の情報を用いて生成及び表示され、編集される。従って、訓練計画作成時の重複入力作業は排除される。
【００２５】
本発明にあっては、演習操作計画表生成手段は、データベースに登録された情報に基づいて、演習操作計画表を生成し、編集受付手段は、演習操作計画表を表示して、前記データベースの編集を受け付ける。演習操作計画表は、付与先及び演習者側に求める判断事項毎に、該付与先に付与すべき状況の件名及び付与元を含む表である。
従って、使用者は、演習操作計画表を用いることによって、演習者側に求められる判断事項という観点から検討された訓練計画を作成することが可能になる。
【００２６】
本発明にあっては、前記データベースは、過去の災害訓練演習用に編集された状況付与に関する情報を再利用すべく、複数の災害訓練演習用に夫々編集された災害に関する複数の状況毎に、各災害訓練演習を識別するための災害訓練演習情報と、災害の種類を示す災害種別情報、災害で想定される場面を示す災害場面情報、又は災害訓練演習を行う組織を示す組織情報とを対応付けて登録している。災害訓練演習の内容は、災害の種類、場面、災害訓練演習を行う組織によって、特定することができる。
訓練計画作成支援装置は、災害種別情報、災害場面情報、又は組織情報に基づいて、災害訓練演習を検索し、検索して得た一の災害訓練演習用に編集された状況付与に関する情報を、他の災害訓練演習における状況付与に関する情報として前記データベースに登録することができる。
従って、過去の災害訓練演習用に編集された状況付与に関する情報を再利用することが可能になる。
【００２７】
本発明にあっては、前記データベースは、過去の災害訓練演習用に編集された状況付与に関する情報を再利用すべく、複数の災害訓練演習用に夫々編集された災害に関する複数の状況毎に、該状況を付与する目的を示す付与目的情報、又は付与先の組織の職務内容を示す職務内容情報を対応付けて登録している。組織又は該組織を構成する部、班は、職務内容が同一であっても自治体によって異なる名称が付されている場合があり、該名称では過去の災害訓練演習用に編集された状況付与に関する情報を検索できない虞があるが、状況と職務内容とを対応付けることによって、過去の災害訓練演習用に編集された状況付与の効果的な検索を可能にする。状況の付与目的についても同様である。
訓練計画作成支援装置は、付与目的情報又は職務内容情報に基づいて、一の災害訓練演習で編集された状況付与に関する情報を検索し、検索して得た各情報を、他の災害訓練演習における状況付与に関する情報として前記データベースに登録することができる。
従って、過去の災害訓練演習用に編集された状況付与に関する情報を効率的に再利用することが可能になる。
【００２８】
本発明にあっては、訓練計画作成支援装置は、災害に関する複数の状況毎に、該状況を付与する際に状況付与カードに添付すべき文書のデータを対応付けて記憶しており、出力手段は、状況付与カード及び該状況付与カードに添付すべき文書を順に出力する。従って、状況付与カードに添付すべき文書の管理、出力後の書類をまとめる作業が不要になる。
【発明の効果】
【００２９】
本発明によれば、状況付与バランスに優れた高品質の状況付与計画表及び状況付与カードを効率的に作成することができる。
【００３０】
本発明によれば、状況付与バランスに優れ、しかも演習者の判断事項という観点からも検討された高品質の状況付与計画表及び状況付与カードを効率的に作成することができる。
【００３１】
本発明にあっては、過去の災害訓練演習用に編集した状況付与に関する情報を、災害場面、災害種別及び組織区分という観点から検索し、再利用することができ、より効率的に状況付与計画表及び状況付与カードを作成することができる。
【００３２】
本発明にあっては、過去の災害訓練演習用に編集した状況付与に関する情報を、付与目的、付与先の職務内容という観点から検索し、再利用することができ、より効率的に状況付与計画表及び状況付与カードを作成することができる。
【００３３】
本発明にあっては、状況付与カード及び添付文書を関連付けて管理し、出力することができる。
【発明を実施するための最良の形態】
【００３４】
以下、本発明をその実施の形態を示す図面に基づいて詳述する。
図１は、本発明の実施の形態に係る訓練計画作成支援システムの構成を模式的に示すブロック図である。本発明の実施の形態に係る訓練計画作成支援システムは、訓練計画作成支援装置１と、通信線Ｎを介して訓練計画作成支援装置１に接続された複数の通信装置２とを備える。本発明に係る訓練計画作成支援システムは、ロールプレイング方式の災害訓練演習で用いられる状況付与計画一覧表及び状況付与カードを作成する際に発生する重複入力を排除し、更に過去に編集された災害訓練演習用の各種情報を効果的に検索及び再利用することによって、状況付与バランスに優れた高品質の訓練計画を作成することを可能にするものである。以下、記載を簡潔にするために、状況付与計画一覧及び状況付与カードを、付与計画一覧及び付与カードと記載する。
【００３５】
訓練計画作成支援装置１は、装置全体を制御する制御部１０、例えばＣＰＵ（Central Processing Unit）を備えたコンピュータである。制御部１０には、演算に伴って発生する一時的な情報を記憶するＲＡＭ１１と、本発明の実施の形態に係るコンピュータプログラム１９ａを記録した記録媒体１９、例えばＣＤ−ＲＯＭからコンピュータプログラム１９ａを読み取る外部記憶装置１３と、外部記憶装置１３により読み取ったコンピュータプログラム１９ａを記録するハードディスク等の内部記憶装置１２とが接続されている。制御部１０は、内部記憶装置１２からコンピュータプログラム１９ａをＲＡＭ１１に読み出して各種演算処理を実行することによって、本発明に係る訓練計画作成支援方法を実施する。また、訓練計画作成支援装置１は、液晶ディスプレイ又はＣＲＴディスプレイ等の表示装置１４、キーボード、マウス等の入力装置（編集受付手段）１５、プリンタ（出力手段）１６及び通信インタフェース１７を備えており、通信インタフェース１７には、通信線Ｎを介して複数の通信装置２，２…が接続されている。 
【００３６】
通信装置２は、ＣＰＵを備えたコンピュータである。ＣＰＵには、ＲＯＭ、ＲＡＭ、内部記憶装置、表示装置、入力装置、通信インタフェースが接続されており、通信装置２は、訓練計画作成支援装置１との間で訓練計画に係る各種データを送受信するように構成されている。
【００３７】
更に、訓練計画作成支援装置１は、訓練計画の作成に必要な各種情報が登録されたデータベース１８を備えている。データベース１８は、主要な情報として基本情報ＤＢ１８ａ、付与カードＤＢ１８ｂ、検索用付与カードＤＢ１８ｃを備える。また、データベース１８は、マスタテーブルとして、組織ＤＢ１８ｄ、部ＤＢ１８ｅ、班ＤＢ１８ｆ、付与元ＤＢ１８ｇ、付与方法ＤＢ１８ｈ、付与目的ＤＢ１８ｉ、災害種別ＤＢ１８ｊ、災害場面ＤＢ１８ｋ、主要判断事項ＤＢ１８ｌ、組織区分ＤＢ１８ｍ等を備える。
【００３８】
図２は、基本情報ＤＢ１８ａ、付与カードＤＢ１８ｂ、及び検索用付与カードＤＢ１８ｃのレコードレイアウトを概念的に示す説明図である。端的に説明すれば、基本情報ＤＢ１８ａは、後述の訓練基本情報登録画面３２（図５参照）で入力される各種情報が登録されており、付与カードＤＢ１８ｂ及び検索用付与カードＤＢ１８ｃは、後述の付与計画作成画面３５（図１３参照）、付与計画一覧作成画面３８（図１７参照）及び付与カード作成画面４１（図２０参照）で入力される各種情報が登録されている。詳細は以下の通りである。
【００３９】
基本情報ＤＢ１８ａは、表を構成する複数の項目（列）、例えば、災害訓練演習を識別する識別番号が登録される「演習ＩＤ」項目、演習件名（災害訓練演習情報）が登録される「演習件名」項目、「訓練コード」項目、「演習開始日」項目、「演習終了日」項目、「演習開始時間（時）」項目、「演習開始時間（分）」項目、「演習終了時間（時）」項目、「演習終了時間（分）」項目、「演習時間」項目、「主要訓練項目」項目、「訓練概要」項目、災害訓練演習が行われる西暦が登録される「年度」項目、災害の種類を識別するための識別番号（災害種別情報）が登録される「災害種別ＩＤ」項目、組織区分を識別するための識別番号（組織情報）が登録される「組織区分ＩＤ」項目、災害場面を識別するための識別番号（災害場面情報）が登録される「災害場面ＩＤ」項目から構成されており、各項目には対応する各種情報が登録されている。
なお、データベース１８は、使用者のユーザＩＤ、パスワードが登録された図示しないユーザ認証ＤＢを備えており、ユーザＩＤと、演習ＩＤとは紐付けられている。
【００４０】
「災害種別ＩＤ」項目に登録された識別番号は、災害種別ＤＢ１８ｊに紐付けられており、災害種別ＤＢ１８ｊは、該識別番号と、災害種別名（災害種別情報）、例えば「自然災害（風水害）」、「自然災害（地震）」、「自然災害（火山）」、「人為的災害」、「原子力災害」、「航空機事故」等とを対応付けて登録してある。
また、「災害場面ＩＤ」項目に登録された識別番号は、災害場面ＤＢ１８ｋに紐付けられており、災害場面ＤＢ１８ｋは、該識別番号と、災害場面名（災害場面情報）、例えば「破堤の兆候〜破堤直後の対応」、「風水害（増水初期から堤防決壊前まで）」、「風水害（増水〜堤防決壊〜応急復旧）」、「地震（予知〜発災）」、「地震（発災直後〜救援体制確立）」、「地震（発災〜応急復旧）」等とを対応付けて登録してある。
更に、「組織区分ＩＤ」項目に登録された識別番号は、組織区分ＤＢ１８ｍに紐付けられており、組織区分ＤＢ１８ｍは、該識別番号と、組織区分名（組織情報）、例えば「政府（内閣官房）」、「指定行政機関（警察庁）」、「指定行政機関（気象庁）」、「指定行政機関（内閣府）」、「指定行政機関（消防庁）」、「指定行政機関（国土交通省）」等とを対応付けて登録してある。
【００４１】
付与カードＤＢ１８ｂは、表を構成する複数の項目（列）、例えば、災害に関する複数の状況を識別するための識別番号が登録される「付与カードＩＤ」項目、状況の付与先である組織、部及び班を識別する識別番号が登録される「組織ＩＤ」項目、「部名ＩＤ」項目、「班名ＩＤ」項目、「付与Ｎｏ」項目、状況を付与する付与時間情報が登録される「付与日付」項目、「付与時間（時）」項目、「付与時間（分）」項目、状況の件名が登録される「付与件名」項目、状況の付与方法を識別する識別番号が登録される「付与方法ＩＤ」項目、状況の付与担当者が登録される「付与担当」項目、状況の内容を示す内容情報が登録される「付与内容」項目、「付与条件」項目、状況を付与する目的を識別する識別番号（付与目的情報）が登録される「付与目的ＩＤ」項目、付与カード４１ａに添付すべき資料、例えばＦＡＸ送信表のデータの所在を示す情報が登録される「添付資料」項目、付与先の職務内容を示す情報（職務内容情報）が登録される「事務分掌」項目、当該付与先に求める判断事項を識別する識別番号が登録される「主要判断事項ＩＤ」項目、状況の付与元を識別するための識別番号が登録される「付与元ＩＤ」項目から構成されており、各項目には対応する各種情報が登録されている。なお、ユーザＩＤと、演習ＩＤと、付与カードＩＤは紐付けられている。
【００４２】
「組織ＩＤ」項目に登録された識別番号は、組織ＤＢ１８ｄに紐付けられており、組織ＤＢ１８ｄは、該識別番号と、組織名、例えば「○○県」、「△△市」等とを対応付けて登録してある。
また、「部名ＩＤ」項目に登録された識別番号は、部ＤＢ１８ｅに紐付けられており、部ＤＢ１８ｅは、該識別番号と、部名、例えば「避難誘導部」、「市民環境部」等とを対応付けて登録してある。
更に、「班名ＩＤ」項目に登録された識別番号は、班ＤＢ１８ｆに紐付けられており、班ＤＢ１８ｆは、該識別番号と、班名、例えば「情報班」、「対策班」、「物資班」、「指揮班」、「施設班」等とを対応付けて登録してある。
更にまた、「付与方法ＩＤ」項目に登録された識別番号は、付与方法ＤＢ１８ｈに紐付けられており、付与方法ＤＢ１８ｈは、該識別番号と、状況の付与方法、例えば「ＦＡＸ」、「電話」、「ＰＣ」、「ＴＶ」、「口頭」、「文書」等とを対応付けて登録してある。
更にまた、「付与目的ＩＤ」項目に登録された識別番号は、付与目的ＤＢ１８ｉに紐付けられており、付与目的ＤＢ１８ｉは、該識別番号と、状況を付与する目的名（付与目的情報）、例えば「避難誘導路の検討」、「火災発生状況の把握」、「地震被害の把握」等とを対応付けて登録してある。
更にまた、「主要判断事項ＩＤ」項目に登録された識別番号は、主要判断事項ＤＢ１８ｌに紐付けられており、主要判断事項ＤＢ１８ｌは、該識別番号と、付与先に求める主要な判断事項、例えば「情報収集活動」、「連携」、「合同調整会議」、「避難所の移転の判断」、「初期状況の全般把握」、「消防庁への報告」等とを対応付けて登録してある。
更にまた、「付与元ＩＤ」項目に登録された識別番号は、付与元ＤＢ１８ｇに紐付けられており、付与元ＤＢ１８ｇは、該識別番号と、状況の付与元、例えば「出張所班」、「教育部」、「災害対策本部」、「避難住民」、「町会長」、「派遣職員」、「○○県災害対策本部」等とを対応付けて登録してある。
【００４３】
検索用付与カードＤＢ１８ｃは、過去の災害訓練演習用に編集された訓練計画に係る情報を検索するためのものである。制御部１０は、災害訓練演習が終了した場合、該災害訓練演習用の基本情報ＤＢ１８ａ及び付与カードＤＢ１８ｂに登録された情報に基づいて、該情報を検索用の情報として編集し、編集した情報を検索用付与カードＤＢ１８ｃに登録する。
検索用付与カードＤＢ１８ｃは、表を構成する複数の項目、例えば、「検索ＩＤ」項目、「付与カードＩＤ」項目、「組織ＩＤ」項目、「部名ＩＤ」項目、「班名ＩＤ」項目、「付与Ｎｏ」項目、「年度」項目、「演習件名」項目、「訓練コード」項目、「付与件名」項目、「災害種別」項目、「災害場面」項目、「組織区分」項目、「付与方法」項目、「付与目的」項目、「事務分掌」項目、「検索文字列」項目、「付与内容」項目から構成されており、各項目には対応する各種情報が登録されている。特に、「検索文字列」項目には、状況の付与元、付与先、主要判断事項、付与担当、付与件名のテキストが登録されている。
【００４４】
図３は、訓練計画の作成に係る制御部１０の処理手順を示すフローチャートである。制御部１０は、図示しないユーザ認証画面を表示してユーザの認証を行い（ステップＳ１１）、ユーザの認証に成功した場合、メイン画面３１を表示する（ステップＳ１２）。なお、使用者は、訓練計画作成支援装置１及び通信装置２のいずれからでもログインし、訓練計画を作成することができる。以下では、説明を簡単にするため、訓練計画作成支援装置１を操作して訓練計画を作成する場合を説明する。
【００４５】
図４は、メイン画面３１の一例を示す模式図である。メイン画面３１は、「訓練計画メニュー」タブ画面、「訓練基本情報」タブ画面、及びマスタテーブルを編集するための「マスタメンテ」タブ画面から構成されている。「訓練計画メニュー」タブ画面は、グループ化された４つの選択項目、即ち「訓練計画作成登録」項目、「訓練組織編成登録」項目、「一括出力」項目、「過去訓練検索」項目から構成されている。各項目には、訓練計画の作成を開始するための「訓練計画作成登録」ボタン３１ａ、訓練を行う演習者の組織編成を登録するための「訓練組織編成登録」ボタン３１ｂ、編集された訓練計画に係る書類を一括出力するための「一括出力」ボタン３１ｃ、過去に編集された訓練計画を参照するための「過去訓練検索」ボタン３１ｄが設けられている。また、「訓練計画メニュー」タブ画面の下部に「終了」ボタン３１ｅが設けられている。
【００４６】
次いで、制御部１０は、入力装置１５にて、訓練基本情報の登録を受け付けたか否かを判定する（ステップＳ１３）。具体的にはメイン画面３１の「訓練基本情報」タブがクリックされ、「訓練基本情報」タブ画面上の図示しない訓練基本情報登録ボタンが操作されたか否かを判定する。訓練基本情報の登録を受け付けたと判定した場合（ステップＳ１３：ＹＥＳ）、訓練基本情報登録画面３２を表示装置１４にて表示し、災害訓練に関する各種基本情報を入力装置１５にて受け付け、受け付けた各種情報をデータベース１８、特に基本情報ＤＢ１８ａに登録する処理を実行する（ステップＳ１４）。
【００４７】
図５は、訓練基本情報登録画面３２の一例を示す模式図である。訓練基本情報登録画面３２は、訓練名、主要訓練項目、訓練概要を入力するテキスト入力フィールド、訓練日時、災害種別、災害場面、組織区分を入力するプルダウンメニュー、「更新・登録」ボタン等を含んで構成される。
【００４８】
ステップＳ１４の処理を終えた場合、又は訓練基本情報の登録を受け付けていないと判定した場合（ステップＳ１３：ＮＯ）、制御部１０は、訓練組織編成の登録を受け付けたか否か、つまりメイン画面３１の「訓練組織編成登録」ボタン３１ｂが操作されたか否かを判定する（ステップＳ１５）。訓練組織編成の登録を受け付けたと判定した場合（ステップＳ１５：ＹＥＳ）、制御部１０は、訓練組織編成登録画面３３を表示装置１４にて表示し、災害訓練を受ける演習者側、即ち状況の付与先の組織構成を入力装置１５にて受け付け、受け付けた各種情報をデータベース１８に登録する処理を実行する（ステップＳ１６）。
【００４９】
図６は、訓練組織編成登録画面３３の一例を示す模式図である。訓練組織編成登録画面３３は、グループ化された３つの項目、「組織名登録」項目、「部登録」項目、及び「班登録」項目から構成される。「組織名登録」項目には、組織名を入力するテキスト入力フィールド、入力された組織名を登録するための「登録」ボタン、組織名を修正するための「選択組織修正」ボタン、組織名を削除するための「選択組織削除」ボタン等が設けられている。「部登録」項目、「班登録」項目の構成も同様である。また、訓練組織編成登録画面３３の下部には、登録された組織編成をツリー構造で表示する組織編成表示部が設けられている。
【００５０】
ステップＳ１６の処理を終えた場合、又は訓練組織編成の登録を受け付けていないと判定した場合（ステップＳ１５：ＮＯ）、制御部１０は、入力装置１５にて訓練計画の作成を受け付けたか否か、つまり「訓練計画作成登録」ボタン３１ａが操作されたか否かを判定する（ステップＳ１７）。訓練計画の作成を受け付けたと判定した場合（ステップＳ１７：ＹＥＳ）、制御部１０は、サブルーチンを呼び出して訓練計画の作成に係る処理を実行する（ステップＳ１８）。
【００５１】
図７及び図８は、付与計画表３５ａ、付与計画一覧表３８ａ、付与カード４１ａの作成に係るサブルーチンの処理手順を示すフローチャート、図９及び図１０は、付与計画表３５ａ、付与計画一覧表３８ａ、付与カード４１ａの作成に係る状態遷移図である。
【００５２】
ステップＳ１８でサブルーチンを呼び出した制御部１０は、訓練計画メニュー画面３４を表示装置１４にて表示する（ステップＳ３１）。
【００５３】
図１１は、訓練計画メニュー画面３４の一例を示す模式図である。訓練計画メニュー画面３４は、付与件名を付与先及び付与時間でグルーピングして訓練計画を作成するための「付与計画」ボタン３４ａと、付与目的及び主要判断事項でグルーピングして訓練計画を作成するための「コントロール計画」ボタン３４ｂと、複数の使用者で訓練計画の作成を分散作業すべく、編集対象を組織、部、及び班の単位で指定するためのプルダウンメニューとを含んで構成される。該プルダウンメニューで選択可能な項目は、組織編成登録画面３３で登録した組織、部、班である。各使用者は指定した班の単位で排他的に訓練計画の作成作業を行うことができる。
また、訓練計画メニュー画面３４の下部には「メイン画面へ」ボタン３４ｃが設けられている。
【００５４】
次いで、制御部１０は、入力装置１５にて、付与計画が選択されたか否か、つまり「付与計画」ボタン３４ａが選択されたか否かを判定する（ステップＳ３２）。付与計画が選択されたと判定した場合（ステップＳ３２：ＹＥＳ）、制御部１０は、データベース１８に登録されている情報をＲＡＭ１１に読み出して、付与計画表３５ａを生成し、生成した付与計画表３５ａを表示装置１４にて表示する（ステップＳ３３）。具体的には、制御部１０は、付与カードＤＢ１８ｂに登録されている各種情報をＲＡＭ１１に読み出し、ＲＡＭ１１に読み出した情報に基づいて、図１２及び図１３に示すような付与計画表３５ａを含む付与計画作成画面３５のデータを生成し、該データを表示装置１４に与えることによって、付与計画作成画面３５を表示装置１４に表示させる。
【００５５】
図１２及び図１３は、付与計画作成画面３５の一例を示す模式図である。付与計画作成画面３５は、付与計画表３５ａを含んで構成される。付与計画表３５ａは、災害に関する状況を、付与先及び付与時間でまとめて区分けした一覧表である。例えば、付与計画表３５ａは、上下方向に、付与先の「情報班」、「対策班」、「物資班」で区分けされ、横方向に１時間単位で「９：００」、「１０：００」と区分けされている。そして、付与先及び付与時間で区分けされた各表は、付与時間を分単位で示す「分」、「付与件名」、「付与方法」、「付与元」、「付与目的」で項目分けされ、複数の状況に関する情報が時系列順で表示されている。区分けされた各表の側部には、対応する状況の付与カード作成画面４１を表示するための丸印の付与カード作成ボタン３５ｈが設けられている。
また、付与計画作成画面３５の上部には、「並び替え・更新・登録」ボタン３５ｂ、付与計画表３５ａを印刷するための「出力」ボタン３５ｃ、「過去訓練活用」ボタン３５ｄ、「付与計画一覧作成へ」ボタン３５ｅ、「コントロール計画作成へ」ボタン３５ｆ、「訓練計画メニュー画面へ」ボタン３５ｇが設けられ、下部には、検索項目の入力フィールド３５ｉ、置換項目の入力フィールド３５ｊ、入力フィールド３５ｉに入力された文字列を、入力フィールド３５ｊに入力された文字列に置換するための「置換」ボタン３５ｋが設けられている。
【００５６】
ステップＳ３２で、付与計画が選択されていないと判定した場合（ステップＳ３２：ＮＯ）、制御部１０、入力装置１５にて、コントロール計画が選択されたか否か、つまり「コントロール計画」ボタン３４ｂが操作されたか否かを判定する（ステップＳ３４）。コントロール計画が選択されたと判定した場合（ステップＳ３４：ＹＥＳ）、制御部１０は、表示装置１４にて主要判断事項設定画面３６を表示し、主要判断事項の設定を受け付ける（ステップＳ３５）。
【００５７】
図１４は、主要判断事項設定画面３６の一例を示す模式図である。主要判断事項設定画面３６は、過去に使用された主要判断事項を検索するための再利用項目が左側にグルーピングされており、右側には、主要判断事項を新規に入力するための入力フィールド３６ａ、新規の主要判断事項を登録するための「登録」ボタン３６ｂ、登録済みの主要判断事項を修正するための「選択項目修正」ボタン３６ｃ、登録された主要判断事項が表示される表示部３６ｄが設けられている。再利用項目には、過去の訓練計画に係る組織区分を入力するためのプルダウンメニュー３６ｅ、入力された組織区分によって主要判断事項を絞り込む「絞り込み」ボタン３６ｆ、過去に使用された主要判断事項を表示する表示部３６ｇ、主要判断事項を再利用するための矢印ボタン３６ｈ、再利用を取り消すための矢印ボタン３６ｉを含んで構成される。また、主要判断事項設定画面３６の下部には、「コントロール計画作成へ」ボタン３６ｊ、「訓練計画メニューへ」ボタン３６ｋが設けられている。
【００５８】
ステップＳ３５で主要判断事項が設定され、「コントロール計画作成へ」ボタン３６ｊが操作された場合、制御部１０は、データベース１８に登録されている情報をＲＡＭ１１に読み出して、コントロール計画表（演習操作計画表）３７ａを生成し、生成したコントロール計画表３７ａを表示装置１４にて表示する（ステップＳ３６）。具体的には、制御部１０は、付与カードＤＢ１８ｂに登録されている各種情報をＲＡＭ１１に読み出し、ＲＡＭ１１に読み出した情報に基づいて、図１５及び図１６に示すようなコントロール計画表３７ａを含むコントロール計画作成画面３７のデータを生成し、該データを表示装置１４に与えることによって、コントロール計画作成画面３７を表示装置１４に表示させる。
【００５９】
図１５及び図１６は、コントロール計画作成画面３７の一例を示す模式図である。コントロール計画作成画面３７は、コントロール計画表３７ａを含んで構成される。コントロール計画表３７ａは、災害に関する状況を、付与先及び該付与先に求められる主要判断事項でまとめて区分けした一覧表である。例えば、コントロール計画表３７ａは、上下方向に、付与先の「情報班」、「対策班」、「物資班」で区分けされ、横方向に主要判断事項「情報収集活動」、「連携」で区分けされている。そして、付与先及び主要判断事項で区分けされた各表は、付与時間を示す「日付・時」、「分」、「付与件名」、「付与方法」、「付与元」、「付与目的」で項目分けされ、複数の状況に関する情報が時系列順で表示されている。また、区分けされた各表の側部には、丸印の付与カード作成ボタン３７ｈが設けられている。更に、コントロール計画作成画面３７の上部には、「並び替え・更新・登録」ボタン３７ｂ、主要判断事項設定画面３６を表示させるための「主要判断事項設定へ」ボタン３７ｃ、「過去訓練活用」ボタン３７ｄ、「付与計画作成へ」ボタン３７ｅ、「付与計画一覧作成へ」ボタン３７ｆ、「訓練計画メニューへ」ボタン３７ｇが設けられ、下部には、検索項目の入力フィールド３７ｉ、置換項目の入力フィールド３７ｊ、入力フィールド３７ｉに入力された文字列を、入力フィールド３７ｊに入力された文字列に置換するための「置換」ボタン３７ｋが設けられている。
【００６０】
ステップＳ３４でコントロール計画が選択されていないと判定した場合（ステップＳ３４：ＮＯ）、制御部１０は、入力装置１５にて、「メイン画面へ」ボタン３４ｃが操作されたか否かを判定する（ステップＳ３７）。「メイン画面へ」ボタン３４ｃが操作されたと判定した場合（ステップＳ３７：ＹＥＳ）、制御部１０は、サブルーチンの処理を終える。「メイン画面へ」ボタン３４ｃが操作されていないと判定した場合（ステップＳ３７：ＮＯ）、制御部１０は、処理をステップＳ３１へ戻す。
【００６１】
ステップＳ３３及びステップＳ３６の処理を終えた場合、制御部１０は、データベース１８に登録された状況付与に係る情報、例えば状況の付与件名、付与時間、付与先、付与元、付与方法、付与目的等の編集を入力装置１５にて受け付け、入力装置１５にて受け付けた付与件名、付与時間、付与先、付与元、付与方法、付与目的等の情報を付与カードＤＢ１８ｂに登録する（ステップＳ３８）。
使用者は、一覧表に表示された付与件名、付与時間、付与先、付与元、付与方法、付与目的等を選択し、テキスト入力することによって、各情報を編集することができる。また、入力フィールド３５ｉ，３７ｉ及び入力フィールド３５ｊ，３７ｊに夫々に被置換文字及び置換文字を入力し、「置換」ボタン３５ｋ，３７ｋを操作することによって、一覧表示された文字列を一括で置換することができる。
なお、付与計画表３５ａにおいては、グルーピングされた各状況の付与時間をグループ単位で一括変更できるように構成しても良い。また、訓練基本情報の演習開始時間と連動させて、付与時間を変更するように構成しても良い。更に、演習総時間と連動させて、付与時間を変更するように構成しても良い。更にまた、演習総時間が変更された場合、状況付与の疎密状態に応じて、付与時間の変更量を異ならせるように構成しても良い。例えば、演習総時間が長く／短くなるように変更された場合、疎状態にある各状況の付与時間の変更量が、密状態にある各状況の付与時間の変更量に比べて大きくなるように構成すると良い。
【００６２】
次いで、制御部１０は、入力装置１５にて、付与計画作成画面３５、後述の付与計画一覧作成画面３８、又はコントロール計画作成画面３７相互の切り替えを受け付けたか否かを判定する（ステップＳ３９）。切り替えを受け付けた場合（ステップＳ３９：ＹＥＳ）、制御部１０は、図９及び図１０の状態遷移図に示すように、コントロール計画作成画面３７が表示された状態（１０１）、付与計画作成画面３５が表示された状態（１０２）、及び後述の付与計画一覧作成画面３８が表示された状態（１０３）を相互に切り替え、表示装置１４に表示する（ステップＳ４０）。
【００６３】
例えば、図１２及び図１３に示す付与計画作成画面３５が表示されている状態（１０２）で「コントロール計画作成へ」ボタン３５ｆが操作された場合、図１５及び図１６に示すコントロール計画作成画面３７が表示された状態（１０１）へ遷移し、「付与計画一覧作成へ」ボタン３５ｅが操作された場合、付与計画一覧表３８ａが表示された状態（１０３）に遷移する。また、コントロール計画作成画面３７が表示されている状態（１０１）で「付与計画作成へ」ボタン３７ｅが操作された場合、付与計画作成画面３５が表示された状態（１０２）へ遷移し、「付与計画一覧表作成へ」ボタン３７ｆが操作された場合、付与計画一覧作成画面３８が表示された状態（１０３）へ遷移する。
【００６４】
図１７及び図１８は、付与計画一覧作成画面３８の一例を示す模式図である。付与計画一覧作成画面３８は、付与計画一覧表３８ａを含んで構成される。付与計画一覧表３８ａは、各状況を識別及び整理するための「状況付与番号」、付与時間を示す「日付・時」、「分」、「付与件名」、「付与元」、「付与先」「付与方法」、「付与担当」、「付与条件」、「付与目的」で項目分けされ、災害に関する複数の状況に関する情報を時系列順で配列した一覧表である。付与計画一覧表３８ａの側部には、丸印の付与カード作成ボタン３８ｈが設けられている。また、付与計画一覧作成画面３８の上部には、「並び替え・更新・登録」ボタン３８ｂ、付与計画一覧表３８ａを印刷するための「出力」ボタン３８ｃ、「過去訓練活用」ボタン３８ｄ、「付与計画作成へ」ボタン３８ｅ、「コントロール計画作成へ」ボタン３８ｆ、「訓練計画メニューへ」ボタン３８ｇが設けられている。図９及び図１０に示すように、付与計画一覧作成画面３８が表示された状態（１０３）で、「付与計画作成へ」ボタン３８ｅが操作された場合、付与計画作成画面３５が表示された状態（１０２）へ遷移し、「コントロール計画作成へ」ボタン３８ｆが操作された場合、コントロール計画作成画面３７が表示された状態（１０１）へ遷移する。
更に、付与計画一覧作成画面３８の下部には、検索項目の入力フィールド３８ｉ、置換項目の入力フィールド３８ｊ、入力フィールド３８ｊに入力された文字列を、入力フィールド３８ｊに入力された文字列に置換するための「置換」ボタン３８ｋが設けられている。
なお、具体的には、制御部１０は、付与カードＤＢ１８ｂに登録されている各種情報をＲＡＭ１１に読み出し、ＲＡＭ１１に読み出した情報に基づいて、図１７及び図１８に示すような付与計画一覧表３８ａを含む付与計画一覧作成画面３８のデータを生成し、該データを表示装置１４に与えることによって、付与計画一覧作成画面３８を表示装置１４に表示させる。
また、状況付与番号は、状況毎に、該状況の付与日時と、時系列順の連番とを含むように付されている。
【００６５】
ステップＳ４０の処理を終えた場合、又はステップＳ３９で切り替えを受け付けていないと判定した場合（ステップＳ３９：ＮＯ）、制御部１０は、入力装置１５にて「過去訓練活用」ボタン３５ｄ、３７ｄ、３８ｄが操作されたか否かを判定する（ステップＳ４１）。「過去訓練計画活用」ボタン３５ｄ、３７ｄ、３８ｄが操作された場合（ステップＳ４１：ＹＥＳ）、過去訓練の検索及び再利用に係る処理を実行する（ステップＳ４２）。以下、過去訓練の検索及び再利用に係る処理を具体的に説明する。
【００６６】
図９に示すようにコントロール計画作成画面３７、付与計画作成画面３５、及び付与計画一覧作成画面３８が表示されている状態（１０１、１０２、１０３）で「過去訓練計画活用」ボタン３５ｄ、３７ｄ、３８ｄが操作された場合、過去訓練名選択画面３９が表示された状態（１０４）へ遷移する。
【００６７】
図１９は、過去訓練名選択画面３９等の一例を示す模式図である。図１９（ａ）は、過去訓練名選択画面３９の一例であり、過去訓練名選択画面３９は、訓練計画が作成された年度、災害場面を入力するためのプルダウンメニュー３９ａ，３９ｂと、年度及び災害場面に基づいて検索された訓練計画の名称が表示される表示部３９ｅとを含んで構成される。また、過去訓練名選択画面３９等の下部には、「選択」ボタン３９ｃ、「戻る」ボタン３９ｄが設けられている。
制御部１０は、プルダウンメニュー３９ａ，３９ｂに年度及び災害場面が入力された場合、該年度及び災害場面に基づいて、過去に編集された訓練計画に係る情報を検索用付与カードＤＢ１８ｃから検索し、検索して得た訓練計画の名称、即ち演習件名を表示部３９ｅに表示させる。
なお、災害場面によって訓練名を検索する構成を例示したが、災害種別、又は組織区分に基づいて訓練名を検索するように構成しても良い。
【００６８】
そして、図９に示すように、過去訓練名選択画面３９が表示された状態（１０４）で「戻る」ボタン３９ｄが操作された場合、コントロール計画作成画面３７、付与計画作成画面３５、及び付与計画一覧作成画面３８が表示された状態（１０１、１０２、１０３）へ遷移する。また、状態（１０４）で「選択」ボタン３９ｃが操作された場合、過去訓練組織・部名選択画面が表示された状態（１０５）へ遷移する。
【００６９】
図１９（ｂ）は、過去訓練組織・部名選択画面の一例である。過去訓練組織・部名選択画面は、組織及び部を選択するためのプルダウンメニュー４０ａ，４０ｂ、「選択」ボタン４０ｃ、及び「戻る」ボタン４０ｄを含んで構成される。
図９に示すように、過去訓練組織・部名選択画面が表示された状態（１０５）で、「戻る」ボタン４０ｄが操作された場合、過去訓練組織・部名選択画面が表示された状態（１０５）へ遷移する。「選択」ボタン４０ｃが操作された場合、図示しない過去付与計画照会画面が表示された状態（１０６）へ遷移する。過去付与計画照会画面は、図１２及び図１３に示す付与計画作成画面３５と同様の画面であり、過去の訓練計画に係る情報が一覧表示されたものである。なお、一覧表示に必要な情報は、検索用付与カードＤＢ１８ｃに登録された情報と、付与カードＩＤで紐付けられた付与カードＤＢ１８ｂの情報とから得られる。
図示しない各種ボタンを操作することによって、過去付与計画照会画面が表示された状態（１０６）、過去付与計画一覧照会画面が表示された状態（１０７）、付与カード照会画面が表示された状態（１０８）、過去ＦＡＸ送信表照会画面が表示された状態（１０９）へ相互に遷移することができる。過去付与計画一覧照会画面、付与カード照会画面、過去ＦＡＸ送信表照会画面は、夫々図１７，１８に示した付与計画一覧作成画面３８、後述の図２０に示す付与カード作成画面４１、図２１に示すＦＡＸ送信表作成画面４２と同様の画面である。
また、過去付与計画照会画面が表示された状態（１０６）で、図示しない再利用ボタンが操作された場合、過去情報変換画面が表示された状態（１１０）へ遷移し、過去の訓練計画における各種文字列の変換を受け付ける。例えば、河川の名称、地名、状況の付与時間、組織名等の変換を受け付ける。そして、過去情報変換画面が表示された状態（１１０）で保存ボタンが操作された場合、制御部１０は、受け付けた変換処理を実行し、各種文字列が変換された過去の訓練計画に係る情報を、現在作成中の訓練計画に係る情報として、付与カードＤＢ１８ｂに登録し（１１１）、コントロール計画作成画面３７、付与計画作成画面３５、及び付与計画一覧作成画面３８が表示されている状態（１０１、１０２、１０３）へ遷移する。
【００７０】
ステップＳ４２の処理を終えた場合、又はステップＳ４１で「過去訓練活用」ボタン３５ｄ、３７ｄ、３８ｄが操作されていないと判定した場合（ステップＳ４１：ＮＯ）、制御部１０は、入力装置１５にて、付与カード４１ａの作成を受け付けたか否か、つまり付与カード作成ボタン３５ｈ、３７ｈ、３８ｈが操作されたか否かを判定する（ステップＳ４３）。
【００７１】
付与カード４１ａの作成を受け付けた場合（ステップＳ４３：ＹＥＳ）、制御部１０は、付与カード作成画面４１を表示装置１４にて表示する（ステップＳ４４）。状態遷移図によれば、図１０に示すように、コントロール計画作成画面３７、付与計画作成画面３５、及び付与計画一覧作成画面３８が表示されている状態（１０１、１０２、１０３）で、付与カード作成ボタン３５ｈ、３７ｈ、３８ｈが操作された場合、付与カード作成画面４１が表示された状態（１１２）へ遷移することがわかる。
【００７２】
図２０は、付与カード作成画面４１の一例を示す模式図である。付与カード作成画面４１は、凡そ印刷時の体裁をなした付与カード４１ａを含んで構成される。付与カード４１ａに必要な情報、例えば、組織名、付与先、付与元、付与担当、付与時間、付与方法、付与件名、付与条件、付与内容、付与目的等は、テキスト入力フィールド及びプルダウンメニューに入力することができるように構成されている。
また、付与カード作成画面４１の上部には、「並び替え・更新・登録」ボタン４１ｂ、「削除」ボタン４１ｄ、「ＦＡＸ送信表作成」ボタン４１ｅ、「出力」ボタン４１ｆ、「過去付与カード検索」ボタン４１ｇ、「前画面へ」ボタン４１ｈ、「別紙を開く」ボタン４１ｃが設けられ、下部には、検索項目の入力フィールド４１ｉ、置換項目の入力フィールド４１ｊ、入力フィールド４１ｉに入力された文字列を、入力フィールド４１ｊに入力された文字列に置換するための「置換」ボタン４１ｋが設けられている。
更に、付与カード作成画面４１には、付与カード４１ａと、ＦＡＸ送信表以外の別紙とを関連付ける別紙登録部が設けられている。
【００７３】
そして、データベース１８に登録された状況付与に係る情報、例えば状況の付与件名、付与時間、付与先、付与元、付与方法、付与目的、付与内容等の編集を入力装置１５にて受け付け、編集された情報をデータベース１８に登録する（ステップＳ４５）。
【００７４】
また、制御部１０は、ＦＡＸ送信表の編集に係る処理を実行する（ステップＳ４６）。具体的には、図１０に示すように、付与カード作成画面４１が表示されている状態（１１２）で、「ＦＡＸ送信表作成」ボタン４１ｅが操作された場合、ＦＡＸ送信表作成画面４２を表示した状態（１１３）へ遷移する。
【００７５】
図２１は、ＦＡＸ送信表作成画面４２の一例を示す模式図である。ＦＡＸ送信表作成画面４２は、ＦＡＸ送信表の内容が入力されるテキスト入力フィールド４２ａ、「更新・登録」ボタン４２ｂ、「削除」ボタン４２ｃ、「付与カード編集に戻る」ボタン４２ｄを含んで構成されている。また、ＦＡＸ送信表作成画面４２には、付与カード作成画面４１で入力されたあて先、発信元、枚数、付与時間、付与方法、件名、付与条件等が表示されている。
【００７６】
そして、制御部１０は、ＦＡＸ送信表の作成を受け付け、「更新・登録」ボタン４２ｂが操作された場合、作成されたＦＡＸ送信表のデータを、付与カード４１ａと紐付けてデータベース１８に登録する。ＦＡＸ送信表作成画面４２が表示された状態（１１３）で、「付与カード編集に戻る」ボタン４２ｄが操作された場合、付与カード作成画面４１が表示された状態（１１２）へ遷移する。
【００７７】
次いで、制御部１０は、入力装置１５にて、「過去付与カード検索」ボタン４１ｇが操作されたか否かを判定する（ステップＳ４７）。「過去付与カード検索」ボタン４１ｇが操作されたと判定した場合（ステップＳ４７：ＹＥＳ）、過去付与カード４１ａの検索及び再利用に係る処理を実行する（ステップＳ４８）。以下、過去付与カード４１ａの検索及び再利用に係る処理を具体的に説明する。
【００７８】
図１０に示すように付与カード作成画面４１が表示されている状態（１１２）で「過去付与カード検索」ボタン４１ｇが操作された場合、過去カード検索画面が表示された状態へ遷移する（１１４）。
【００７９】
図２２は、過去カード検索画面の一例を示す模式図である。過去カード検索画面は、検索結果が表示される検索結果表示部４３ａ、過去に編集された付与カード４１ａを検索するための情報、例えば、年度及び災害種別を入力するためのプルダウンメニュー４３ｂ，４３ｃ、付与元、付与先、主要判断事項、付与担当及び付与件名が入力されるテキスト入力フィールド４３ｄ、組織区分、付与方法、付与目的を入力するためのプルダウンメニュー４３ｅ、付与内容が入力されるテキスト入力フィールド４３ｇ、「検索開始」ボタン４３ｈ、「照会」ボタン４３ｉ、「戻る」ボタン４３ｆを含んで構成される。
制御部１０は、「検索開始」ボタン４３ｈが操作された場合、入力された各種情報に基づいて、検索用付与カードＤＢ１８ｃから過去の付与カード４１ａを検索し、検索結果を検索結果表示部４３ａに表示する。そして、図１０に示すように、過去カード検索画面４３が表示された状態（１１４）で、「照会」ボタン４３ｉが操作された場合、過去カード照会画面が表示された状態（１１５）へ遷移する。
【００８０】
図２３は、過去カード照会画面４４の一例を示す模式図である。過去カード照会画面４４は、付与カード作成画面４１と同様の構成であり、過去の付与カード４１ａの内容が表示された部分４４ａと、「再利用」ボタン４４ｂ、「戻る」ボタン４４ｃ、「ＦＡＸ送信表照会」ボタン４４ｄ、を含んで構成される。図１０に示すように、過去カード照会画面４４が表示された状態（１１５）で、「ＦＡＸ送信表照会」ボタン４４ｄが操作された場合、図示しない過去ＦＡＸ送信表照会画面が表示された状態（１１６）へ遷移する。また、過去ＦＡＸ送信表照会画面が表示された状態（１１６）で、図示しない「戻る」ボタンが操作された場合、過去カード照会画面４４が表示された状態（１１５）へ遷移する。
また、過去カード照会画面４４が表示された状態（１１５）で、「再利用」ボタンが操作された場合、制御部１０は、過去の付与カード４１ａにおける各種文字列の変換を受け付け、文字列の変換処理を実行し、各種文字列が変換された過去の付与カード４１ａのデータを、現在作成中の訓練計画における付与カード４１ａのデータとして、付与カードＤＢ１８ｂに登録し（１１７）、付与カード作成画面４１が表示された状態（１１２）へ遷移させる。
【００８１】
ステップＳ４８の処理を終えた場合、又は「過去付与カード検索」ボタン４１ｇが操作されていないと判定した場合（ステップＳ４７：ＮＯ）、制御部１０は、入力装置１５にて「出力」ボタン４１ｆが操作されたか否かを判定する（ステップＳ４９）。「出力」ボタン４１ｆが操作されたと判定した場合（ステップＳ４９：ＹＥＳ）、制御部１０は、生成された付与カード４１ａをプリンタ１６にて出力する（ステップＳ５０）。なお、言うまでもなく、生成された付与カード４１ａを出力する際、付与カード４１ａの体裁は出力用の体裁に適宜変換される。
【００８２】
ステップＳ５０の処理を終えた場合、又は「出力」ボタン４１ｆが操作されていないと判定した場合（ステップＳ４９：ＮＯ）、制御部１０は、入力装置１５にて「前画面へ」４１ｈボタンが操作されたか否かを判定する（ステップＳ５１）。「前画面へ」ボタン４１ｈが操作されていないと判定した場合（ステップＳ５１：ＮＯ）、制御部１０は、処理をステップＳ４４へ戻す。「前画面へ」ボタン４１ｈが操作されたと判定した場合（ステップＳ５１：ＹＥＳ）、制御部１０は、付与カード４１ａ作成前に表示されていた付与計画表３５ａ、付与計画一覧表３８ａ又はコントロール計画表３７ａを生成し、表示する（ステップＳ５２）。
【００８３】
ステップＳ５２の処理を終えた場合、又は付与カード４１ａの作成を受け付けていないと判定した場合（ステップＳ４３：ＮＯ）、制御部１０は、入力装置１５にて「出力」ボタン３５ｃ，３８ｃが操作されたか否かを判定する（ステップＳ５３）。「出力」ボタン３５ｃ，３８ｃが操作されたと判定した場合（ステップＳ５３：ＹＥＳ）、制御部１０は、付与計画表３５ａ、又は付与計画一覧表３８ａをプリンタ１６にて出力する（ステップＳ５４）。また、制御部１０は、出力する付与カード４１ａの添付資料が付与カードＤＢ１８ｂに登録されている場合、該付与カード４１ａと、添付資料、例えばＦＡＸ送信表をこの順で出力する。なお、付与計画一覧を出力する際、付与カード４１ａも出力するように構成しても良い。
また、言うまでもなく、生成された付与計画表３５ａ、付与計画一覧表３８ａ、付与カード４１ａを出力する際、付与計画表３５ａ、付与計画一覧表３８ａ、付与カード４１ａの体裁は出力用の体裁に適宜変換される。
【００８４】
ステップＳ５４の処理を終えた場合、又は「出力」ボタン３５ｃ，３８ｃが操作されていないと判定した場合（ステップＳ５３：ＮＯ）、制御部１０は、入力装置１５にて「訓練計画メニュー画面へ」ボタン３５ｇ，３７ｇ，３８ｇが操作されたか否かを判定する（ステップＳ５５）。「訓練計画メニュー画面へ」ボタン３５ｇ，３７ｇ，３８ｇが操作されたと判定した場合（ステップＳ５５：ＹＥＳ）、制御部１０は、処理をステップＳ３１へ戻す。「訓練計画メニュー画面へ」ボタン３５ｇ，３７ｇ，３８ｇが操作されていないと判定した場合（ステップＳ５５：ＮＯ）、制御部１０は、処理をステップＳ３８へ戻す。
【００８５】
最後に、図３に示す訓練計画作成処理を終えた後の処理を説明する。
図３に示すように、ステップＳ１８の処理を終えた場合、又は訓練計画の作成を受け付けていないと判定した場合（ステップＳ１７：ＮＯ）、制御部１０は、入力装置１５にて「一括出力」ボタン３１ｃが操作されたか否かを判定する（ステップＳ１９）。「一括出力」ボタン３１ｃが操作されたと判定した場合（ステップＳ１９：ＹＥＳ）、制御部１０は、現在編集されている付与計画表３５ａ、付与計画一覧表３８ａ、付与カード４１ａ及びＦＡＸ送信表をプリンタ１６にて一括出力する（ステップＳ２０）。なお、付与計画表３５ａ、付与計画一覧表３８ａ、付与カード４１ａ及びＦＡＸ送信表を所定フォーマットのデータとして出力するように構成しても良い。
【００８６】
ステップＳ２０の処理を終えた場合、又は「一括出力」ボタン３１ｃが操作されていないと判定した場合（ステップＳ１９：ＮＯ）、制御部１０は、入力装置１５にて「過去訓練検索」ボタン３１ｄが操作されたか否かを判定する（ステップＳ２１）。「過去訓練検索」ボタン３１ｄが操作されたと判定した場合（ステップＳ２１：ＹＥＳ）、制御部１０は、入力装置１５にて過去の訓練計画の年度、及び名称の入力を受け付け、受け付けた年度及び名称に基づいて、過去の訓練計画を検索用付与カードＤＢ１８ｃから検索し、適宜文字列を置換し、置換後のデータを現在作成中の訓練計画の情報として付与カードＤＢ１８ｂに登録する処理を実行する（ステップＳ２２）。
【００８７】
ステップＳ２２の処理を終えた場合、又は「過去訓練検索」ボタン３１ｄが操作されていないと判定した場合（ステップＳ２１：ＮＯ）、制御部１０は、入力装置１５にて「終了」ボタン３１ｅが操作されたか否かを判定する（ステップＳ２３）。「終了」ボタン３１ｅが操作されていないと判定した場合（ステップＳ２３：ＮＯ）、制御部１０は、処理をステップＳ１２へ戻す。「終了」ボタン３１ｅが操作されたと判定した場合（ステップＳ２３：ＹＥＳ）、制御部１０は、処理を終える。
【００８８】
このように構成された訓練計画作成支援システム、訓練計画作成支援装置１、訓練計画作成支援方法、コンピュータプログラム１９ａにあっては、重複入力作業を回避しながら付与計画表３５ａを生成することができ、該付与計画表３５ａを用いることによって、状況付与バランスに優れた高品質の付与計画一覧表３８ａ及び付与カード４１ａを効率的に作成することができる。
【００８９】
また、重複入力作業を回避しながらコントロール計画表３７ａを生成することができ、該コントロール計画表３７ａを用いることによって、状況付与バランスに優れ、しかも演習者の主要判断事項という観点からも検討された高品質の付与計画一覧表３８ａ及び付与カード４１ａを効率的に作成することができる。
【００９０】
更に、過去の災害訓練演習用に編集した状況付与に関する情報を、災害場面、災害種別及び組織区分という観点から検索し、再利用することができ、より効率的に付与計画一覧表３８ａ及び付与カード４１ａを効率的に作成することができる。
【００９１】
更にまた、過去の災害訓練演習用に編集した状況付与に関する情報を、付与目的、付与先の事務分掌、即ち職務内容という観点から検索し、再利用することができ、より効率的に付与計画一覧表３８ａ及び付与カード４１ａを効率的に作成することができる。
【００９２】
更にまた、付与カード４１ａ及び添付文書を関連付けて管理し、出力することができる。
【００９３】
なお、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【図面の簡単な説明】
【００９４】
【図１】本発明の実施の形態に係る訓練計画作成支援システムの構成を模式的に示すブロック図である。
【図２】基本情報ＤＢ、付与カードＤＢ、及び検索用付与カードＤＢのレコードレイアウトを概念的に示す説明図である。
【図３】訓練計画の作成に係る制御部の処理手順を示すフローチャートである。
【図４】メイン画面の一例を示す模式図である。
【図５】訓練基本情報登録画面の一例を示す模式図である。
【図６】訓練組織編成登録画面の一例を示す模式図である。
【図７】付与計画表、付与計画一覧表、付与カードの作成に係るサブルーチンの処理手順を示すフローチャートである。
【図８】付与計画表、付与計画一覧表、付与カードの作成に係るサブルーチンの処理手順を示すフローチャートである。
【図９】付与計画表、付与計画一覧表、付与カードの作成に係る状態遷移図である。
【図１０】付与計画表、付与計画一覧表、付与カードの作成に係る状態遷移図である。
【図１１】訓練計画メニュー画面の一例を示す模式図である。
【図１２】付与計画作成画面の一例を示す模式図である。
【図１３】付与計画作成画面の一例を示す模式図である。
【図１４】主要判断事項設定画面の一例を示す模式図である。
【図１５】コントロール計画作成画面の一例を示す模式図である。
【図１６】コントロール計画作成画面の一例を示す模式図である。
【図１７】付与計画一覧作成画面の一例を示す模式図である。
【図１８】付与計画一覧作成画面の一例を示す模式図である。
【図１９】過去訓練名選択画面等の一例を示す模式図である。
【図２０】付与カード作成画面の一例を示す模式図である。
【図２１】ＦＡＸ送信表作成画面の一例を示す模式図である。
【図２２】過去カード検索画面の一例を示す模式図である。
【図２３】過去カード照会画面の一例を示す模式図である。
【図２４】ロールプレイング方式の災害訓練演習方法を示す模式図である。
【図２５】訓練計画の作成手順を概念的に示す説明図である。
【符号の説明】
【００９５】
１  訓練計画作成支援装置
２  通信装置
１０  制御部
１１  ＲＡＭ
１２  内部記憶装置
１３  外部記憶装置
１４  表示装置
１５  入力装置（編集受付手段）
１６  プリンタ（出力手段）
１７  通信インタフェース
１８  データベース
１９  記録媒体
１９ａ  コンピュータプログラム
３５ａ  付与計画表（状況付与計画表）
３７ａ  コントロール計画表（演習操作計画表）
３８ａ  付与計画一覧表（状況付与計画一覧表）
４１ａ  付与カード（状況付与カード）
Ｎ  通信線
【図１】
2010009524.tif 000003
【図２】
2010009524.tif 000004
【図３】
2010009524.tif 000005
【図４】
2010009524.tif 000006
【図５】
2010009524.tif 000007
【図６】
2010009524.tif 000008
【図７】
2010009524.tif 000009
【図８】
2010009524.tif 000010
【図９】
2010009524.tif 000011
【図１０】
2010009524.tif 000012
【図１１】
2010009524.tif 000013
【図１２】
2010009524.tif 000014
【図１３】
2010009524.tif 000015
【図１４】
2010009524.tif 000016
【図１５】
2010009524.tif 000017
【図１６】
2010009524.tif 000018
【図１７】
2010009524.tif 000019
【図１８】
2010009524.tif 000020
【図１９】
2010009524.tif 000021
【図２０】
2010009524.tif 000022
【図２１】
2010009524.tif 000023
【図２２】
2010009524.tif 000024
【図２３】
2010009524.tif 000025
【図２４】
2010009524.tif 000026
【図２５】
2010009524.tif 000027